(57)【要約】【課題】  本発明は、補給筒内重ね入れのカップを麺入れドラムに高速にて送ることのできるカップの高速送り装置を新規に提供するものである。【構成】  本発明は、補給筒内に重ね入れのカップを回転ドラムの周面に設ける複数の吸引皿にて１個づつ順次吸引し、該ドラムの回転により吸引カップを下向きにして麺入れドラム上に送るようにし、また該ドラムを９０度づつ間歇回転させて、９０度回転による吸引カップの横向き時に吸引カップ内を洗浄するようにしたカップの高速送り装置にある。【選択図】図１
2009090990.tif 000002
【特許請求の範囲】
【請求項１】
補給筒内に重ね入れのカップを回転ドラムの周面に設ける複数の吸引皿にて１個づつ順次吸引し、該ドラムの回転により吸引カップを下向きにして麺入れドラム上に送るようにしたことを特徴とするカップの高速送り装置。
【請求項２】
ドラムを９０度づつ間歇回転させて、９０度回転による吸引カップの横向き時に吸引カップ内を洗浄するようにした請求項１に記載のカップの高速送り装置。
【発明の詳細な説明】
【技術分野】
【０００１】
この発明は、カップの高速送り装置、詳しくは補給筒内のカップを麺入れドラム上に高速送りする装置に関するものである。
【背景技術】
【０００２】
従来この種のカップ送り装置は、図４に示すように吸引アームによって補給筒内の上向き重ね入れカップを１個づつ吸引した後、アームの先部を反転させてカップを下向きにしてから該アームの下動にてカップを麺入れドラム上に送り、アームの戻り上動と、先部の上向き反転にて次のカップを吸引するという往復動にてカップ送りをするようにしている。
【特許文献１】なし
【発明の開示】
【発明が解決しようとする課題】
【０００３】
しかしながら、吸引アームによる送りはアーム先部の反転と上下動の２段モーションによってカップの送りがきわめて遅いという課題があった。しかも吸引アームは補給筒と麺入れドラム間の同一軌道上を往復動するために単体、すなわち１本しか取付けることができないことで、カップ送りをさらに遅くしている。従って麺入れドラムと連動するリテーナーコンベアの走行速度も遅くなるという課題があった。
またカップ内には補給の過程で毛髪などの混入することがあるが、吸引アームが上下反転と上下動の作動にとどまるために、これらを取除く洗浄工程がとれないという課題があった。
【課題を解決するための手段】
【０００４】
本発明は、縦形補給筒内に上向きにおいて重ね入れしたカップを角形ドラムの周面に設けた複数の吸引皿にて１個づつ順次吸引し、該ドラムの回転により吸引カップを下向きにして麺入れドラム上に送るようにしたのである。また、角形ドラムを９０度づつ間歇回転するようにして、９０度回転による吸引カップの横向き停止時にエアー吸引によりカップ内を洗浄するようにして、かかる課題を解決するようにしたのである。
【発明の効果】
【０００５】
本発明は、回転ドラムの周面に設ける吸引皿にて補給筒内のカップを順次吸引して、麺入れドラム上に送るようにしたので、カップの送り速度を格段に向上させることができるという効果を生ずる。
【０００６】
吸引カップを横向きにすることで、送りの中間にてカップ内を洗浄することができるという効果を生ずる。
【発明を実施するための最良の形態】
【０００７】
本発明は、縦形補給筒下に横向きにて送りドラムを設けて、該補給筒内に重ね入れのカップを回転する角形の送りドラムの周面に複数にて設ける吸引皿にて１個づつ順次吸引し、該ドラムの回転により吸引カップを下向きにして麺入れドラム上に連続して送るようにして、カップ送りを高速化して麺入れドラムとリテーナーコンベアの作動速度をスピードアップして、カップ麺などの製造能率を向上することができるようにする。
またドラムを９０度づつ間歇停止させることで、吸引カップを横向きの中間時にエアー吸引により送る前のカップを洗浄することができるようにする。洗浄によりカップ内に毛髪等の混入のない衛生面の向上がはかられることとなる。
【実施例１】
【０００８】
麺Ｍの連続供給コンベア１に接続して上面にて麺Ｍを１個づつ受取り間歇回転する多面体形の麺入れドラム２の上方に重ね入れカップＣの補給筒３を縦設する。該補給筒３と麺入れドラム２間に縦回転するカップ送りの角形回転ドラム４を設け、その上下面に吸引皿５を設ける。１ａは麺の押し送り装置、５ａは外部の真空ポンプ（図示してない）に接続するエアー吸引路である。吸引皿５はエアー吸引路５ａから分岐した多数の吸引孔からのエアー吸引によってカップＣ底部の全面を吸引するようにしている。吸引皿５は補給筒３内のカップＣ方向に向けて進退するようにすることもある。
補給筒３とカップの送りの角形回転ドラム４および吸引皿５にてカップＣの送り装置を形成する。また麺Ｍを１個づつ受取る麺入れドラム２とこれに続くリテーナーコンベア６にて麺入れ装置を構成する。
【０００９】
補給筒３内に上向きにて重ね入れされた補給用のカップＣのうち最下のカップを吸引皿５にてエアー吸引し、角形回転ドラム４の１８０度の下動回転にて吸引カップＣを下向きにして麺入れドラム２の麺Ｍ上に被せ送りする。麺入れドラム２は該カップＣを吸引保持したまま回転し、直下に走行し来たるリテーナーコンベア６に麺Ｍ入りのカップＣを移載するのである。このときカップ送りドラム４の他側の吸引皿５は補給筒３に正対して次のカップＣを吸引し、続く回転にて麺入れドラム２上にカップＣを送ることとなる。このようにして複数の吸引皿５が角形回転ドラム４の回転にて連続して麺入れドラム２上にカップＣを送ることとなる。送り用のドラムの回転という休みのない動作によってカップＣの送りが高速化することで、連動するリテーナーコンベア６の走行をスピードアップすることができるものとなる。カップＣは補給筒３内に重ね入れされるものであれば、平面視円形，四角形、深底形，浅底形、大きさの大小にかかわらず送ることができる。またエアー吸引路５ａのエアー吸引を解除することでカップＣは運ばれた点で吸引皿５から離れることとなる。
【実施例２】
【００１０】
図２はカップ送りドラム４を９０度づつに分けた４面形にして、それぞれに吸引皿５を設けた例を示すものである。吸引皿５を４面に設けて９０度回転ごとにカップＣを１個づつ順次吸引して麺入れドラム２上に送るようにしたので、吸引皿５を上下２面に設けた実施例１に比較してより高速にてカップ送りができるものとなる。さらに吸引皿５を２面づつ対向する６面に設けて、９０度より小さな６０度の回転ごとにカップＣを吸引し、麺入れドラム２にカップ送りすることもできる。
【実施例３】
【００１１】
図３は吸引皿５を４面に設けたカップ送り用のドラム４を９０度づつ回転した点で間歇停止させる例において、９０度回転にて横向き停止した吸引カップＣに正対するエアー吸引の洗浄機７を設けた実施例を示すものである。横向きに間歇停止したカップＣ内をエアー吸引することでカップＣ内に毛髪，破損片などがあれば確実に洗浄して除いて清潔なカップＣにして麺入れドラム２上に送ることとなる。洗浄機７はカップＣの開口面と同形の漏斗状をしたエアー吸引口７ａを有してカップＣの内底，内壁の全面を強力にエアー吸引して洗浄するのである。洗浄機７のエアー吸引口はカップＣ内に入る大きさに形成し、横向き停止したカップＣ内に近づいて吸引洗浄するようにすることもできる。吸引口はカップＣ内のあらゆる方向に向いた多数の吸引口にて形成することもある。毛髪等はエアー吸引により集塵されるので周囲に飛散することがなく衛生を保つことができる。
【産業上の利用可能性】
【００１２】
本発明は以上のようにして、麺入れ装置にカップを高速送りする装置として広く利用することができるものである。
【図面の簡単な説明】
【００１３】
【図１】カップ送り用の角形回転ドラムの上下２面に吸引皿を設けた実施例を示す正面図
【図２】４面に吸引皿を設けた実施例を示す正面図
【図３】横向き停止した吸引カップに正対するエアー吸引の洗浄機を設けた実施例を示す正面図
【図４】従来例を示す正面図
【符号の説明】
【００１４】
１は麺の連続供給コンベア
１ａは麺の押し送り装置
２は麺入れドラム
３はカップの補給筒
４はカップ送り用の角形回転ドラム
５は吸引皿
５ａはエアー吸引路
６はリテーナーコンベア
７は洗浄機
７ａはエアー吸引口
Ｃはカップ
Ｍは麺
【図１】
2009090990.tif 000003
【図２】
2009090990.tif 000004
【図３】
2009090990.tif 000005
【図４】
2009090990.tif 000006